(57)【特許請求の範囲】
【請求項１】
パケットの伝送のために割り当てられるリソースを決定し、該パケットを複数のサブパケットに分割し、該複数のサブパケットを該割り当てられるリソースへマッピングするように構成された、少なくとも一つのプロセッサと、ここで、少なくとも一つのサブパケットは、該割り当てられるリソースの一部分へマッピングされる、
前記少なくとも一つのプロセッサに接続されたメモリとを含み、
前記割り当てられるリソースは、複数のタイルを含み、各々のタイルは、時間・周波数リソースのブロックに対応し、
前記少なくとも一つのプロセッサは、前記複数のタイルを、少なくとも二つのタイルからなる第１のグループと、残りのタイルからなる第２のグループとに配列し、前記複数のサブパケットのうちの一部のサブパケットを、前記第２のグループの中の各々のタイルにマッピングし、前記複数のサブパケットのうちのすべてのサブパケットを、前記第１のグループの中の各々のタイルにマッピングするように構成されたことを特徴とする通信のための装置。
【請求項２】
前記少なくとも一つのプロセッサは、対応する符号化サブパケットを得るために、前方誤り訂正（ＦＥＣ）コードに基づいて、各々のサブパケットを符号化するように構成されたことを特徴とする請求項１に記載の装置。
【請求項３】
各々のタイルは、複数の連続する時間・周波数リソースからなる一つのブロックに対応することを特徴とする請求項１に記載の装置。
【請求項４】
前記複数のタイルは、システム帯域幅にわたって分散された複数の時間・周波数リソースからなる複数のブロックに対応することを特徴とする請求項１に記載の装置。
【請求項５】
前記少なくとも一つのプロセッサは、前記複数のサブパケットの各々を、前記複数のタイルのうちの異なる一部分にマッピングするように構成されたことを特徴とする請求項１に記載の装置。
【請求項６】
前記少なくとも一つのプロセッサは、前記複数のサブパケットの各々を、１を越える特定の最小の数のタイルへ、又は該特定の最小の数のタイルより少ないものが利用可能である場合に前記複数のタイルのすべてへ、マッピングするように構成されたことを特徴とする請求項１に記載の装置。
【請求項７】
前記少なくとも一つのプロセッサは、前記複数のサブパケットの各々を、１を越える等しい数のタイルへマッピングするように構成されたことを特徴とする請求項１に記載の装置。
【請求項８】
前記第１のグループは、ｔの整数倍の個数のタイルを含み、ｔはサブパケットの数であることを特徴とする請求項１に記載の装置。
【請求項９】
前記少なくとも一つのプロセッサは、前記複数のタイルのうちの一つのタイルにマッピングされる複数のサブパケットを決定し、前記複数のサブパケットそれぞれの部分を、前記一つのタイルにわたって分散するように構成されたことを特徴とする請求項１に記載の装置。
【請求項１０】
前記複数のタイルの各々について、前記少なくとも一つのプロセッサは、前記少なくとも一つのサブパケットを、前記一つのタイルを通して循環すること及び前記一つのサブパケットを、前記一つのタイル中の各々の利用可能な伝送ユニットにマッピングすることによって、前記少なくとも一つのサブパケットを、前記タイルにわたって分散するように構成されたことを特徴とする請求項９に記載の装置。
【請求項１１】
パケットの伝送のために割り当てられるリソースを決定することと、
前記パケットを複数のサブパケットに分割することと、
前記複数のサブパケットを前記割り当てられるリソースにマッピングすることを含み、ここで、少なくとも一つのサブパケットは、前記割り当てられるリソースの一部分へマッピングされる、
前記割り当てられるリソースは、複数のタイルを含み、各々のタイルは、時間・周波数リソースのブロックに対応し、
前記複数のサブパケットを前記マッピングすることは、
前記複数のタイルを、ｔの整数倍の個数のタイルからなる第１のグループと、残りのタイルからなる第２のグループとに配列することと、ここで、ｔはサブパケットの数である、
前記複数のサブパケットのうちの一部のサブパケットを、前記第２のグループの中の各々のタイルにマッピングすることと、
前記複数のサブパケットのうちのすべてのサブパケットを、前記第１のグループの中の各々のタイルにマッピングすることを含む、方法。
【請求項１２】
対応する符号化サブパケットを得るために、前方誤り訂正（ＦＥＣ）コードに基づいて、各々のサブパケットを符号化することを更に含むことを特徴とする請求項１１に記載の方法。
【請求項１３】
前記複数のサブパケットを前記マッピングすることは、前記複数のサブパケットの各々を、前記複数のタイルのうちの異なる一部分、等しい数のタイル、特定の最小の数のタイル、及び前記特定の最小の数のタイルより少ない場合に前記複数のタイルのすべて、のうちの少なくとも一つへ、マッピングすることを含むことを特徴とする請求項１１に記載の方法。
【請求項１４】
パケットの伝送のために割り当てられるリソースを決定するための手段と、
前記パケットを複数のサブパケットに分割するための手段と、
前記複数のサブパケットを前記割り当てられるリソースにマッピングするための手段とを含み、ここで、少なくとも一つのサブパケットは、前記割り当てられるリソースの一部分へマッピングされる、
前記割り当てられるリソースは、複数のタイルを含み、各々のタイルは、時間・周波数リソースのブロックに対応し、
前記複数のサブパケットを前記マッピングするための手段は、前記複数のタイルを、ｔの整数倍の個数のタイルからなる第１のグループと、残りのタイルからなる第２のグループとに配列するための手段と、ここで、ｔはサブパケットの数である、
前記複数のサブパケットのうちの一部のサブパケットを、前記第２のグループの中の各々のタイルにマッピングするための手段と、
前記複数のサブパケットのうちのすべてのサブパケットを、前記第１のグループの中の各々のタイルにマッピングするための手段と含むことを特徴とする通信のための装置。
【請求項１５】
対応する符号化サブパケットを得るために、前方誤り訂正（ＦＥＣ）コードに基づいて、各々のサブパケットを符号化するための手段を更に含むことを特徴とする請求項１４に記載の装置。
【請求項１６】
前記複数のサブパケットを前記マッピングするための手段は、前記複数のサブパケットの各々を、前記複数のタイルのうちの異なる一部分、等しい数のタイル、特定の最小の数のタイル、及び前記特定の最小の数のタイルより少ない場合に前記複数のタイルのすべて、のうちの少なくとも一つへ、マッピングするための手段を含むことを特徴とする請求項１４に記載の装置。
【請求項１７】
コンピュータプログラムを記憶したコンピュータ読み取り可能な記憶媒体において、
前記コンピュータプログラムは、
少なくとも一つのコンピュータに、パケットの伝送のために割り当てられるリソースを決定させるためのコードと、ここで、前記割り当てられるリソースは、複数のタイルを含み、各々のタイルは、時間・周波数リソースのブロックに対応する、
少なくとも一つのコンピュータに、前記パケットを複数のサブパケットに分割させるためのコードと、
少なくとも一つのコンピュータに、前記複数のサブパケットを前記割り当てられるリソースにマッピングさせるためのコードと、ここで、少なくとも一つのサブパケットは、前記割り当てられるリソースの一部分へマッピングされる、
少なくとも一つのコンピュータに、前記複数のタイルを、ｔの整数倍の個数のタイルからなる第１のグループと、残りのタイルからなる第２のグループとに配列させるためのコードと、ここで、ｔはサブパケットの数である、
少なくとも一つのコンピュータに、前記複数のサブパケットのうちの一部のサブパケットを、前記第２のグループの中の各々のタイルにマッピングさせるためのコードと、
少なくとも一つのコンピュータに、前記複数のサブパケットのうちのすべてのサブパケットを、前記第１のグループの中の各々のタイルにマッピングさせるためのコードと含むことを特徴とするコンピュータ読み取り可能な記憶媒体。
【発明の詳細な説明】
【技術分野】
【０００１】
（関連出願の相互参照）
本出願は、いずれも２００７年１月５日付け提出され、本願の譲受人に譲渡され、参照によって本明細書に組み込まれる、「DCH SUBPACKET INTERLEAVING」と題された米国仮出願第６０／８８３，７０２号及び「WIRELESS COMMUNICATION SYSTEM」と題された米国仮出願第６０／８８３，７５８号の優先権を主張する。
【０００２】
本開示は、一般には通信に関し、より詳しくは通信システムにおいてデータを伝送するための技術に関する。
【背景技術】
【０００３】
通信システムにおいて、送信機は、コードビットを得るために、データのパケットを符号化し、該コードビットに基づいて、変調シンボルを生成しても良い。そして、送信機は、該変調シンボルを、該パケットに割り当てられた時間・周波数リソースへマッピングし、更に、該マッピングされた変調シンボルを、処理し、通信チャネルを通して送信しても良い。受信機は、該データ伝送のための受信シンボルを取得し、その伝送パケットを回復するための相補的な処理を実行しても良い。
【０００４】
データ伝送のための良好なパフォーマンスを実現できるように及び受信機が効率的な方法でパケットを回復できるように、送信機がパケットを処理し送信することは望ましい。それゆえ、通信システムにおいてパケットを効率的に送信する技術が当該技術分野において必要である。
【発明の概要】
【０００５】
良好なパフォーマンス及び低い復号化レイテンシーを実現するような方法でパケットを送信するための技術が、本明細書で説明される。一つの態様において、パケットは複数のサブパケットに分割されても良く、また、各々のサブパケットは、そのパケットの伝送のために割り当てられたリソースの全部又は一部の上を送信されても良い。サブパケットのリソースへのマッピングは、サブパケットインターリービングと呼ばれても良い。各々のサブパケットは、独立して符号化されてもよく、また、独立して復号化されても良い。割り当てられたリソースは、複数のタイル（各々のタイルは、時間・周波数リソースのブロックに対応する）を含んでも良い。サブパケットは、(i)そのサブパケットが、同様の復号化パフォーマンスを実現するために、同数のタイルにマッピングされるように、(ii)各々のサブパケットが、そのサブパケットのある最小のダイバーシティー次数を実現するために、少なくともＮＭＩＮ個のタイルにマッピングされるように、及び／又は、(iii)各々のサブパケットが、そのサブパケットがそのタイルのすべてを復調する必要なしに復号可能なように、複数のタイルの一部分にマッピングされるように、そのタイルにマッピングされる。
【０００６】
一つのデザインにおいて、送信機は、パケットの伝送のために割り当てられるリソースを決定しても良い。送信機は、パケットを複数のサブパケットに分割し、各々のサブパケットを処理（例えば、符号化）し、そして、その複数のサブパケットを、該割り当てられるリソースへマッピングしても良い。少なくとも一つのサブパケットは、該割り当てられるリソースの一部分、すなわち、該割り当てられるリソースの全部よりも少ない部分に、マッピングされても良い。例えば、少なくとも一つのサブパケットは、割り当てられるタイルの一部分にマッピングされても良い。
【０００７】
一つのデザインにおいて、受信機は、パケットの伝送のために割り当てられたリソースを決定しても良い。受信機は、該割り当てられたリソースを通して該パケットの複数のサブパケットを受信しても良く、また、該サブパケットを該割り当てられたリソースからデマッピングしても良い。少なくとも一つのサブパケットは、該割り当てられたリソースの一部分、例えば、割り当てられたタイルの一部分から、デマッピングされても良い。受信機は、該パケットを回復するためのデマッピングの後に、該サブパケットを処理（例えば、復号化）しても良い。
【０００８】
本開示の様々な態様及び特徴は、以下で更に詳細に記載される。
【図面の簡単な説明】
【０００９】
【図１】図１は、無線通信システムを示す。
【図２】図２は、一例のフレーム構造を示す。
【図３】図３は、パケットの送信及び受信を示す。
【図４】図４は、３つのサブパケットの、８つのタイルへのマッピングを示す。
【図５】図５は、３つのサブパケットの、一つのタイル中の送信ユニット群へのマッピングを示す。
【図６】図６は、受信機でのパケットの処理を示す。
【図７】図７は、基地局及び端末のブロック図を示す。
【図８】図８は、送信（ＴＸ）データプロセッサのブロック図を示す。
【図９】図９は、受信（ＲＸ）データプロセッサのブロック図を示す。
【図１０】図１０は、データを送信するためのプロセスを示す。
【図１１】図１１は、データを送信するための装置を示す。
【図１２】図１２は、データを受信するためのプロセスを示す。
【図１３】図１３は、データを受信するための装置を示す。
【詳細な説明】
【００１０】
本明細書で説明される技術は、各種の無線通信システム及びネットワークに利用されても良い。用語“システム（system）”及び“ネットワーク（network）”は、しばしば互換的に使用される。例えば、該技術は、有線通信システム、無線通信システム、無線ローカルエリアネットワーク（ＷＬＡＮ）などに利用されても良い。無線通信システムは、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、シングルキャリアＦＤＭＡ（ＳＣ−ＦＤＭＡ）システムなどであっても良い。ＣＤＭＡシステムは、例えばｃｄｍａ２０００、ユニバーサル地上無線アクセス（Universal Terrestrial Radio Access）（ＵＴＲＡ）などのような無線技術を実装しても良い。ＯＦＤＭＡシステムは、例えばウルトラ・モバイル・ブロードバンド（Ultra Mobile Broadband）（ＵＭＢ）、Evolved ＵＴＲＡ（Ｅ−ＵＴＲＡ）、ＩＥＥＥ ８０２．１６、ＩＥＥＥ ８０２．２０、Ｆｌａｓｈ−ＯＦＤＭ（登録商標）などのような無線技術を実装しても良い。ＵＴＲＡ及びＥ−ＵＴＲＡは、“第３世代パートナーシッププロジェクト（3rd Generation Partnership Project）”（３ＧＰＰ）という名前の団体からのドキュメントに記載されている。ｃｄｍａ２０００及びＵＭＢは、“第３世代パートナーシッププロジェクト２（3rd Generation Partnership Project 2）”（３ＧＰＰ２）という名前の団体からのドキュメントに記載されている。これら各種の無線技術及び標準は、当該技術分野において知られている。明確にするために、該技術のいくつかの態様がＵＭＢについて以下で説明され、ＵＭＢ用語が、以下の説明の大半で使用される。ＵＭＢは、公的に利用可能な、3GPP2 C.S0084-001， タイトル“Physical Layer for Ultra Mobile Broadband (UMB) Air Interface Specification”， August 2007に記載されている。
【００１１】
図１は、アクセスネットワーク（ＡＮ）とも呼ばれる無線通信システム１００を示す。簡単にするために、図１では、一つの基地局１１０と、二つの端末１２０及び１３０だけが示されている。基地局は、諸端末と通信する局である。基地局はまた、アクセスポイント、Ｎｏｄｅ Ｂ、evolved Ｎｏｄｅ Ｂなどとも呼ばれる。端末は、固定したもの（stationary）でも又は移動性のもの（mobile）でも良く、また、アクセス端末（ＡＴ）、移動局（mobile station）、ユーザ装置（user equipment）、加入者ユニット（subscriber unit）、局などとも呼ばれる。端末は、携帯電話（cellular phone）、携帯情報端末（ＰＤＡ）、無線通信デバイス、無線モデム、ハンドヘルドデバイス、ラップトップコンピュータ、コードレスフォンなどであっても良い。端末は、常時、順方向リンク及び／又は逆方向リンク上で、１又は複数の基地局と通信しても良い。順方向リンク（又は、ダウンリンク）は、基地局から端末への通信リンクを意味し、逆方向リンク（又は、アップリンク）は、端末から基地局への通信リンクを意味する。図１において、端末１２０は、順方向リンク１２２を通して基地局１１０からデータを受信しても良く、また、逆方向リンク１２４を通してデータを送信しても良い。端末１３０は、順方向リンク１３２を通して基地局１１０からデータを受信しても良く、また、逆方向リンク１３４を通してデータを送信しても良い。本明細書で説明される技術は、逆方向リンクと同様に、順方向リンク上の伝送に利用されても良い。
【００１２】
該システムは、直交周波数分割多重（ＯＦＤＭ）及び／又はシングルキャリア周波数分割多重（ＳＣ−ＦＤＭ）を利用しても良い。ＯＦＤＭ及びＳＣ−ＦＤＭは、そのシステム帯域幅を、複数の（Ｋ個の）直交サブキャリアに分割する。直交サブキャリアは、一般に、トーン、ビンなどとも呼ばれる。各々のサブキャリアは、データで変調されても良い。一般に、変調シンボルは、ＯＦＤＭをもって周波数領域において送信され、また、ＳＣ−ＦＤＭをもって時間領域において送信される。隣接するサブキャリア間の間隔は、一定でも良く、また、サブキャリアの数は、システム帯域幅に依存しても良い。
【００１３】
図２は、順方向リンク及び／又は逆方向リンクに利用できるフレーム構造２００のデザインを示す。与えられたリンクのための伝送タイムラインは、物理レイヤ（ＰＨＹ）フレームのユニットに分割されていても良い。各々のＰＨＹフレームは、特定の継続時間（time duration）にわたっても良い。継続時間は、固定されていても設定可能でも良い。一つのデザインにおいて、各々のＰＨＹフレームは、ＮＦＲＡＭＥ個のＯＦＤＭシンボル期間（periods）をカバーする。ここで、ＮＦＲＡＭＥは、４、６、８又は何らかの他の値に等しくても良い。
【００１４】
与えられたリンクのために使用可能な時間・周波数リソースは、タイルに分割されても良い。タイルは、時間・周波数ブロック、リソースブロック（例えばＥ−ＵＴＲＡ／ＬＴＥにおいて）などとも呼ばれる。タイルは、特定の時間及び周波数のディメンションをカバーしても良い。時間及び周波のディメンションは、固定されていても設定可能でも良い。一般に、タイルは、物理リソース、又は、物理リソースにマッピングされる論理リソースを含んでも良い。一つのデザインにおいて、Ｋ個のホップポート（hop-ports）が定義されても良く、また、それらが、既知のマッピングに基づいて、Ｋ個の全サブキャリアに割り当てられても良い。そして、タイルは、（物理リソースである）サブキャリア又は（論理リソースである）ホップポートのいずれかに基づいて定義されても良い。
【００１５】
一般に、タイルは、任意のサイズ、ディメンション、形状及び特性の時間・周波数リソースをカバーしても良い。一つのデザインにおいて、タイルは、連続する時間・周波数リソースのブロックをカバーしても良い。他のデザインにおいて、タイルは、システム帯域幅にわたって及び／又は時間を越えて（over time）分散されてもよい時間・周波数リソースのブロックをカバーしても良い。以下の説明の大半で仮定される一つのデザインにおいて、各々のタイルは、ＮＦＲＡＭＥ個のＯＦＤＭ期間においてＮＢＬＯＣＫ個のホップポートをカバーしても良い。一つのデザインにおいて、各々のＰＨＹフレームは、８個のＯＦＤＭシンボル期間をカバーし、また、各々のタイルは、ＮＦＲＡＭＥ＝８個のＯＦＤＭシンボル期間においてＮＢＬＯＣＫ＝１６個のホップポートをカバーする。ＰＨＹフレーム及びタイルはまた、他のサイズを有しても良い。図２に示されるデザインにおいて、各々のＰＨＹフレームは、０〜Ｌ−１のインデックスを持つＬ個のタイルを含む。各々のＰＨＹフレームにおけるタイルの数（Ｌ）は、サブキャリアの総数（Ｋ）に依存しても良い。サブキャリア総数（Ｋ）は、同様に（in turn）、システム帯域幅に依存しても良い。各々のタイルにおけるＮＢＬＯＣＫ個のホップポートは、連続するサブキャリア又はシステム帯域幅にわたって分散されるサブキャリアにマッピングされても良い。
【００１６】
表１は、一つのデザインに従って、サポートされてもよい５つの異なるシステム帯域幅と、サブキャリア／ホップポートの数と、各々のシステム帯域幅に対するタイルの総数とを示す。端末は、そのシステム帯域幅におけるタイルの総数より小さい割り当てを有しても良い。
【表１】
0005607203.tif 000002
【００１７】
該システムは、グローバルホッピング（global hopping）及びローカルホッピング（local hopping）をサポートしても良い。それらは、それぞれシンボルレートホッピング（SymbolRateHopping）及びブロックホッピング（BlockHopping）とも呼ばれる。グローバルホッピングに関して、パケットは、分散リソースチャネル（Distributed Resource Channel）（ＤＲＣＨ）のリソース上を送信されても良い。ＤＲＣＨリソースは、そのシステム帯域幅の全部又は大部分にわたって分散されたサブキャリアにマッピングされるホップポートのセットを含んでも良い。ホップポートのサブキャリアへのマッピングは、グローバルホッピングのためのＰＨＹフレームの内部で変化しても良い。ローカルホッピングに関して、パケットは、ブロックリソースチャネル（Block Resource Channel）（ＢＲＣＨ）のリソース上を送信されても良い。ＢＲＣＨリソースは、サブゾーンの範囲内で、連続するサブキャリアにマッピングされるホップポートのセットを含んでも良い。サブゾーンは、特定の数の（例えば、６４個又は１２８個の）サブキャリアをカバーしても良い。ホップポートのサブキャリアへのマッピングは、ローカルホッピングのためのＰＨＹフレームにわたって一定であっても良い。また、他のホッピングスキームが、順方向リンク及び逆方向リンクのためにサポートされても良い。
【００１８】
該システムは、ハイブリッド自動再送（hybrid automatic retransmission）（ＨＡＲＱ）をサポートしても良い。ＨＡＲＱに関して、送信機は、１つのパケットのための１又は複数の伝送を、そのパケットが受信機によって正しく復号化され、又は、最大数の伝送が送信され、又は、何らかの他の終了条件が成立するまで、送信しても良い。ＨＡＲＱは、データ伝送の信頼性を改善し得る。
【００１９】
図２は、特定のＰＨＹフレーム／タイル構造のデザインを示す。また、他のフレーム構造が、トラフィックデータ、シグナリングパイロットなどを伝送するために使用されても良い。また、使用可能な時間・周波数リソースは、他の方法で分割されても良い。明確にするために、以下の説明は、図２に示されるＰＨＹフレーム／タイル構造を仮定する。
【００２０】
送信機（例えば、基地局又は端末）は、１又は複数のパケットを、そのパケットの伝送のために割り当てられた時間・周波数リソースを用いて、受信機（例えば、端末又は基地局）へ送信しても良い。各々のパケットを、そのパケット伝送のために良好なパフォーマンスが実現できるように及びその受信機が効率的な方法でパケットを回復できるように、送信することは望ましい。
【００２１】
一つの態様において、１つのパケットが、t個のサブパケットに分割されても良い。ここで、一般に、ｔ≧１である。各々のサブパケットは、独立して符号化され、その割り当てられたリソースの全部又は一部の上で送信されても良い。その割り当てられたリソースは、ＮＴＩＬＥＳ個のタイルを含んでも良い。ここで、一般に、ＮＴＩＬＥＳ≧１である。そのｔ個のサブパケットは、次のうちの１つ又は複数に従って、そのＮＴＩＬＥＳ個のタイルにマッピングされても良い：  
・そのｔ個のサブパケットが同様の符号化パフォーマンスを実現できるように、そのｔ個のサブパケットを等しい数のタイルへマッピングする、  
・可能であれば、そのサブパケットが全ＮＴＩＬＥＳ個のタイルを復調する必要なしに復号化できるように、各々のサブパケットをそのＮＴＩＬＥＳ個のタイルの一部分へマッピングする、及び、  
・そのサブパケットについて、ある最小のダイバーシティー次数を実現するために、各々のサブパケットを、少なくともＮＭＩＮ個のタイルへマッピングする。ここで、一般に、ＮＭＩＮ≧１である。  
上記のマッピング特性は、以下の説明のようにして実現されても良い。
【００２２】
図３は、パケットの送信及び受信のデザインを示す。送信機は、次のようにパケットのサイズを決定しても良い：  
【数１】
0005607203.tif 000003
【００２３】
ここで、ρは、そのパケットの最初の伝送のスペクトル効率であり、  
ｎ０は、そのパケットの最初の伝送のために使用可能なホップポートの数であり、    Ｎｆは、そのパケットが送信されるところのＰＨＹフレームの数であり、  
ＮＣＲＣ，Ｄａｔａは、そのパケットのための巡回冗長検査（cyclic redundancy check）（ＣＲＣ）ビットの数であり、  
PacketSizeは、そのパケットのサイズである。
【数２】
0005607203.tif 000004
【００２４】
スペクトル効率ρは、チャネル条件に基づいて決定されても良い。チャネル条件は、受信機により推定されて、送信機へ送信されても良い。Ｎｆは、パケットが、拡張された継続時間の伝送の一部である場合には、６ＮＦＲＡＭＥに等しく、それ以外の場合には、ＮＦＲＡＭＥに等しい。パケットサイズはまた、他の方法で決定されても良い。
【００２５】
パケットは、ｔ個のサブパケットに分割又は分離（partitioned or split）されても良い。一つのデザインにおいて、該パケットは、それが最大サブパケットサイズより大きいならば、次のように分割されても良い：  
【数３】
0005607203.tif 000005
【００２６】
ここで、MaxSubPacketSizeは、最大サブパケットサイズである。
【数４】
0005607203.tif 000006
【００２７】
該パケットは、各々のサブパケットがおよそ等しい数のビット又はバイトを含むように、分割されても良い。各々のサブパケットは、対応する出力サブパケットを独立して得るために、処理されても良い（例えば、符号化され、インターリーブされ、及び、シンボルマッピングされる）。そのｔ個の出力サブパケットは、以下に説明されるサブパケット−タイルマッピングに基づいて、ＮＴＩＬＥＳ個のタイルにマッピングされても良い。そのＮＴＩＬＥＳ個のタイルにおける変調シンボルは、処理され、通信リンクを通して送信されても良い。
【００２８】
該受信機において、該送信機からのパケット伝送は、該パケットに使用されるＮＴＩＬＥＳ個のタイルに対する検出シンボルを得るために、処理されても良い。その検出シンボルは、そのタイルにおいて送信された変調シンボルの推定であっても良い。該受信機は、送信機により実行されるサブパケット−タイルマッピングに対して相補的な方法で、ＮＴＩＬＥＳ個のタイルからｔ個の受信サブパケットをデマッピングする。各々の受信サブパケットは、対応する復号化サブパケットを独立して得るために、処理されても良い（例えば、シンボルデマッピングされ、デインターリーブされ、及び、復号化される）。そして、そのｔ個の復号化サブパケットは、復号化パケットを得るために、アセンブルされても良い。
【００２９】
そのｔ個のサブパケットは、様々な方法で、ＮＴＩＬＥＳ個のタイルにマッピングされても良い。一つのデザインにおいて、パケットは、次の手続きに従って、このパケットに割り当てられたホップポート上に変調されても良い：  
１．  ポートカウンタｉを０に、フレームカウンタｆを０に、ＯＦＤＭシンボルカウンタｊを０に、初期化する。  
２．  伝送の第ｆのＰＨＹフレームにおけるこのパケットに割り当てられた使用可能なホップポートのセットを、例えば昇順に、配列する。その結果得られるシーケンスを、ｐ０，ｐ１，…，ｐｎ−１で表すものとする。ここで、ｎは、伝送の第ｆのＰＨＹフレームにおけるこのパケットに割り当てられたホップポートの総数である。  
３．  ｎｓｃを、伝送の第ｆのＰＨＹフレームの第ｊのＯＦＤＭシンボルにおけるホップポートｐｉに対応するサブキャリア・インデックスとする。ｑを、伝送の第ｆのＰＨＹフレームのために使用される変調次数とする。それは、パケットフォーマットの関数（function）である。伝送にｎｓｃが利用可能ならば、変調器により、変調次数ｑでの変調シンボルｓが、サブパケットｍから生成される。ここで、ｍは、次に等しくても良い：  
【数５】
0005607203.tif 000007
【００３０】
ここで、ｔは、パケット中のサブパケットの総数であり、  
ＮＢＬＯＣＫは、タイル中のホップポートの数である。
【数６】
0005607203.tif 000008
【００３１】
ＮＳＵＢＰＡＣＫＥＴＳ−ＩＮ−ＴＩＬＥは、タイル中のサブパケットの数である。
【００３２】
ＮＳＵＢＰＡＣＫＥＴＳ−ＩＮ−ＴＩＬＥは、次のように計算されても良い：  
【数７】
0005607203.tif 000009
【００３３】
４．  変調シンボルｓは、ホップポートｐｉ上に、電力密度Ｐで変調されても良い。また、対応するサブキャリアの値は、  
【数８】
0005607203.tif 000010
【００３４】
であっても良い。Ｐは、伝送の第ｆのＰＨＹフレームにおけるこの割り当てのために利用される電力密度であっても良い。ｉＴＩＬＥがシンボルレートホッピングモードにおけるＤＲＣＨリソースであるならば、変調は、インデックスｋを持つアンテナ上で実行され、ｉＴＩＬＥがブロックホッピングモードにおけるＢＲＣＨリソースであるならば、変調は、インデックスｋを持つタイル−アンテナ上で実行されても良い。シンボルレートホッピングモードにおいて、電力密度Ｐは、そのパケットに割り当てられたホップポートのすべてにわたって一定であっても良い。ブロックホッピングモードにおいて、異なる値の電力密度Ｐが、ＢＲＣＨリソースのために利用されても良い。
【００３５】
５．  ｉをインクリメントする。もしｉ＝ｎならば、ｊをインクリメントし、かつ、ｉ＝０にセットする。
【００３６】
６．  もしｊ＝ＮＦＲＡＭＥならば、ｊ＝０にセットし、かつ、ｆをインクリメントする。
【００３７】
７．  伝送の最後のＰＨＹフレームが完了したならば、停止する。そうでなければ、ステップ２〜６を繰り返す。
【００３８】
上述のデザインにおいて、方程式（４）及び（５）は、各々のタイルにおけるサブパケットの数を決定し、また、方程式（３）は、各々のタイルにおける各々のホップポート上で、どのサブパケットが送信されるかを決定する。他のデザインにおいて、各々のタイルにおけるサブパケットの数は、次のように決定されても良い：  
【数９】
0005607203.tif 000011
【００３９】
サブパケットはまた、他の方程式に基づいて、タイル及びホップポートへマッピングされても良い。一般に、各々のサブパケットは、そのパケットに割り当てられたＮＴＩＬＥＳ個のタイルの全部又は一部にマッピングされても良い。
【００４０】
方程式（３）〜（５）におけるサブパケット−タイルマッピングは、特定の例で説明されても良い。この例において、ｔ＝３個のサブパケットが、ＮＭＩＮ＝４で、ＮＴＩＬＥＳ＝８個のタイル上を送信される。
【００４１】
図４は、方程式（３）〜（５）を使ったデザインに基く、３つのサブパケット０，１及び２の８つのタイル０〜７へのマッピングを示す。この例において、（ＮＴＩＬＥＳ mod ｔ）は２に等しく、最初の二つのタイル０及び１は、それぞれ、方程式（４）に示すように、タイル中に３つのサブパケットすべてを含む。
【数１０】
0005607203.tif 000012
【００４２】
最初の二つのタイル０及び１の各々について、ＮＳＵＢＰＡＣＫＥＴＳ−ＩＮ−ＴＩＬＥ＝３であり、方程式（３）における項（ｊ＋ｉ mod ＮＢＬＯＣＫ） mod ３は、ＯＦＤＭシンボルカウンタｊとして０，１及び２の値を取ることができ、ポートカウンタｉはインクリメントされる。それゆえ、図４に示されるように、３つのサブパケットすべてが、タイル０及び１の各々にマッピングされる。
【００４３】
残りの６つのタイル２〜７については、ＮＳＵＢＰＡＣＫＥＴＳ−ＩＮ−ＴＩＬＥ＝２であり、方程式（３）における項（ｊ＋ｉ mod ＮＢＬＯＣＫ） mod ２は、ＯＦＤＭシンボルカウンタｊとして０及び１の値を取ることができ、ポートカウンタｉはインクリメントされる。それゆえ、二つのサブパケットだけが、タイル２〜７の各々にマッピングされる。具体的には、サブパケット（ｉＴＩＬＥ mod ３）及び（（ｉＴＩＬＥ＋１） mod ３）が、タイルｉＴＩＬＥにマッピングされる。それゆえ、図４に示されるように、サブパケット０及び２がタイル２にマッピングされ、サブパケット０及び１がタイル３にマッピングされ、サブパケット１及び２が、タイル４にマッピングされる、などである。
【００４４】
方程式（４）及び（５）に示されるデザインにおいて、ＮＴＩＬＥＳ個のタイルは、Ｎ１＝Ｍ＊ｔ個のタイルからなる第１のグループ及びＮ２＝ＮＴＩＬＥＳ−Ｎ１個のタイルからなる第２のグループに配列される。ここで、Ｍ≧０であり、Ｎ１は、ｔの整数倍であり、０≦Ｎ２＜ｔである。第１のグループは、ｔの整数倍の個数のタイルを含み、第２のグループは、０個又は残りのタイルを含む。各々のサブパケットは、第１のグループにおける、ＮＭＩＮ又はＮ１のうちでより少ない個数のタイルへ、マッピングされる。
【数１１】
0005607203.tif 000013
【００４５】
ｔ個のサブパケットのすべては、第２のグループにおける各々のタイルにマッピングされる。ｔ個のサブパケットの各々は、ｔ及びＮＴＩＬＥＳの値にかかわらず、同じ数のタイルにマッピングされる。
【００４６】
図４に示される例において、ＮＴＩＬＥＳ＝８、ＮＭＩＮ＝４、Ｎ１＝６、Ｎ２＝２及びＭ＝２である。第１のグループは、Ｎ１＝６個のタイルを含み、第２のグループは、Ｎ２＝２個のタイルを含む。ＮＭＩＮ＜Ｎ１であるので、各々のサブパケットは、第１のグループにおけるＮＭＩＮ＝４個のタイルにマッピングされる。
【数１２】
0005607203.tif 000014
【００４７】
３つのサブパケットのすべては、第２のグループにおける各々のタイルにマッピングされる。
【００４８】
方程式（４）及び（５）に示されるデザインにおいて、各々のサブパケットは、Ｎ２＋ＮＭＩＮ又はＮＴＩＬＥＳのうちでより少ない個数のタイルにマッピングされる。ここで、Ｎ２は、ＮＴＩＬＥＳ及びｔの値に依存する。他のデザインにおいて、各々のサブパケットは、ＮＭＩＮ又はＮＴＩＬＥＳのうちでより少ない個数のタイルにマッピングされる。これは、例えば、方程式（６）〜（８）に示されるデザインで実行されても良い。
【００４９】
図４に示されるように、与えられたサブパケットは、割り当てられたリソースのすべてを完全に利用することなく、ＮＴＩＬＥＳ個のタイルの一部の上で送信されても良い。この方法においてサブパケットを送信することは、受信機における復調及び復号化のパイプラインを可能にし、復号化レイテンシーを改善し得る。図４に示される例について、受信機は、サブパケット０のための検出シンボルを得るために、タイル０，１，２，３，５及び６のための復調を実行しても良い。そして、受信機は、残りの二つのタイル４及び７のための復調を同時に実行している間、サブパケット０のための復号化を実行しても良い。そして、受信機は、サブパケット１及び２の各々のための復号化を実行しても良い。一般に、パイプラインの量は、各々のサブパケットが送信されるタイルの数に依存しても良く、例えば、小さいＮＭＩＮ及び／又は大きいＮＴＩＬＥＳは、より大きいパイプラインをもたらし得る。ＮＭＩＮは、各々のサブパケットのために要求されたダイバーシティーを実現するために選択されても良く、４、８、１６、又は何らかの他の値に等しくても良い。
【００５０】
図５は、タイルのデザインを示す。このデザインにおいて、一つのタイルは、８個のＯＦＤＭシンボル期間において１６個のホップポートをカバーし、１２８個の伝送ユニットを含む。伝送ユニットは、リソースエレメントとも呼ばれ、一つのＯＦＤＭシンボル期間における一つのサブキャリアに対応しても良く、また、伝送のために利用可能な各々のレイヤ上の一つのシンボルを送信するために使用されても良い。パイロットシンボルは、タイルにおける一部の伝送ユニットの上で送信されても良く、また、他のシンボルは、タイルにおける残りの伝送ユニットの上で送信されても良い。
【００５１】
図５はまた、方程式（３）に基づく、サブパケットの、一つのタイルにおける伝送ユニットへのマッピングを説明する。ｉＴＩＬＥ＝０を持つ第１のタイルについて、カウンタｉ及びｊは、両方とも、０に初期化される。ｊ＝０を持つ第１のＯＦＤＭシンボル期間について、サブパケット０は、ホップポート０にマッピングされ、サブパケット１は、ホップポート１にマッピングされ、サブパケット２は、ホップポート２にマッピングされ、サブパケット０は、ホップポート３にマッピングされる、などである。ｊ＝１の第２のＯＦＤＭシンボル期間について、サブパケット１は、ホップポート０にマッピングされ、サブパケット２は、ホップポート１にマッピングされ、サブパケット０は、ホップポート２にマッピングされ、サブパケット１は、ホップポート３にマッピングされる、などである。ｊ＝２の第３のＯＦＤＭシンボル期間について、サブパケット２は、ホップポート０にマッピングされ、サブパケット０は、ホップポート１にマッピングされ、サブパケット１は、ホップポート２にマッピングされ、サブパケット２は、ホップポート３にマッピングされる、などである。
【００５２】
方程式（３）に示されるデザインは、各々のＯＦＤＭシンボル期間におけるホップポートを通して横断し（traverses through）、また、ＮＳＵＢＰＡＣＫＥＴＳ−ＩＮ−ＴＩＬ個のサブパケットを通して循環し（cycles through）、一つのサブパケットを各々のホップポートにマッピングする。異なる開始（starting）サブパケットが、異なるＯＦＤＭシンボル期間において使用される。ただ一つのサブパケットが、与えられたタイルにマッピングされるならば、ＮＳＵＢＰＡＣＫＥＴＳ−ＩＮ−ＴＩＬＥ＝１であり、方程式（３）における項（（ｊ＋ｉ mod ＮＢＬＯＣＫ） mod ＮＳＵＢＰＡＣＫＥＴＳ−ＩＮ−ＴＩＬＥ）は、ｊ及びｉの値のすべてについて０に等しく、インデックスｉＴＩＬＥを持つ同じサブパケットは、そのタイルにおけるすべてのホップポート及びＯＦＤＭシンボル期間にマッピングされる。
【００５３】
サブパケット−タイルマッピングの幾つかのデザインが、上述された。ｔ個のサブパケットは、また、上述された１又は複数のマッピング特性を実現するための他の方程式に基づいた他の方法においてＮＴＩＬＥＳ個のタイル及び伝送ユニットにマッピングされる。
【００５４】
図６は、受信機での処理のデザインを示す。受信機は、送信機により送信されるパケットに利用されるＮＴＩＬＥＳ個のタイルのすべてについて、受信シンボルを得ても良い。検出器／復調器６１０は、各々のタイルのための検出／復調を、そのタイルにおける受信シンボルに基づいて、実行しても良い。例えば、検出器／復調器６１０は、受信パイロットシンボルに基づいて、チャネル推定を得ても良く、そして、そのタイルについて、検出シンボルを得るために、そのチャネル推定に基づいて、受信データシンボルの検出を実行しても良い。検出器６１０は、タイルバッファ６２０の各々のセクションにおける各々のタイルについて、検出シンボルを記憶しても良い。
【００５５】
ＲＸデータプロセッサ６３０は、各々のサブパケットのための復号化を、そのサブパケットのためのすべてのタイルが復調されるごとに、実行しても良い。ＲＸデータプロセッサ６３０は、タイルバッファ６２０の適切なセクションから、サブパケットのための検出シンボルを回復（retrieve）しても良く、また、対応する復号化サブパケットを得るために、検出シンボルを処理しても良い。検出器６１０は、タイル毎（tile-by-tile）を基本として、検出を実行しても良く、また、ＲＸデータプロセッサ６３０は、サブパケット毎（subpacket-by-subpacket）を基本として、復号化を実行しても良い。
【００５６】
タイルバッファ６２０は、検出器６１０及びＲＸデータプロセッサ６３０のオペレーションの分離（decoupling）を可能にしても良く、また、これら二つのユニットのパイプラインを可能にしても良い。検出器６１０は、サブパケット０のために使用される全タイルのための検出を実行しても良く、また、タイルバッファ６２０における検出シンボルを記憶しても良い。そして、ＲＸデータプロセッサ６３０は、検出器６１０がサブパケット１に使用される残りのタイルのための検出を実行する間、サブパケット０のための復号化を実行しても良い。ＮＴＩＬＥＳ個のタイルのすべてが検出され、かつ、ｔ個のサブパケットのすべてが復号化されるまで、パイプラインが続いても良い。
【００５７】
本明細書で説明される技術は、トラフィックデータ、シグナリング、消去シーケンス（erasure sequences）などのために使用されても良い。シグナリングはまた、制御情報、制御データ、オーバーヘッドデータなどとも呼ばれる。消去シーケンスは、データがない場合に、チャネルを維持するためにそのチャネル上を送信されるシーケンスである。該技術はまた、特定の受信機に送信されるユニキャストデータ、受信機のグループに送信されるマルチキャストデータ、及びすべての受信機に送信されるブロードキャストデータのために使用されても良い。該技術は、順方向リンク上のデータチャネル、逆方向リンク上のデータチャネル、ブロードキャストチャネル、マルチキャストチャネル、重畳チャネル（superposed channel）などのために使用されても良い。ユニキャストデータは、重畳チャネル上のブロードキャストセグメントにおいて送信されても良い。
【００５８】
該技術はまた、非ＭＩＭＯ伝送と同様に、送信機の複数のアンテナから受信機の複数のアンテナへの多重入力多重出力（multiple-input multiple-output）（ＭＩＭＯ）伝送のために使用されても良い。単一の変調シンボルは、ＭＩＭＯ伝送のための一つのレイヤにおける一つの伝送の上を送信されても良い。複数の変調シンボルは、ＭＩＭＯ伝送のための複数のレイヤにおける一つの伝送の上を送信されても良い。一般に、各々の伝送ユニット（又は、各々のＯＦＤＭシンボル期間の各々のホップポート）について、その伝送ユニットにマッピングされたサブパケットに基づいて、１又は複数の変調シンボルが、生成されても良い。要求された数の変調シンボルを生成するために、サブパケットからの十分な数のビットが使用されても良い。
【００５９】
図７は、図１における基地局１１０及び端末１２０のデザインのブロック図を示す。このデザインにおいて、基地局１１０には、Ｓ個のアンテナ７２４ａ〜７２４ｓが装備されており、また、端末１２０には、Ｔ個のアンテナ７５２ａ〜７５２ｔが装備されている。ここで、Ｓ≧１及びＴ≧１である。
【００６０】
順方向リンク上で、基地局１１０において、ＴＸデータプロセッサ７１０は、データソース７０８から、端末１２０向けのデータのパケットを受け取っても良く、また、そのパケットを複数のサブパケットに分割しても良い。そして、ＴＸデータプロセッサ７１０は、対応する出力サブパケットを得るために、各々のサブパケットを処理（例えば、復号化、インターレース及びシンボルマッピング）しても良く、また、その複数の出力サブパケットを、そのパケットの伝送のために割り当てられたタイルに、マッピングしても良い。ＴＸ ＭＩＭＯプロセッサ７２０は、その出力サブパケットにおける変調シンボルを、パイロットシンボルとともに多重化し、該当する場合にはＭＩＭＯマッピング又はプリコーディング／ビームフォーミングし、また、Ｓ個の出力シンボルストリームを、Ｓ個の送信機（ＴＭＴＲ）７２２ａ〜７２２ｓに供給する。各々の送信機７２２は、出力チップストリームを得るために、（例えば、ＯＦＤＭのために）その出力シンボルストリームを処理しても良い。各々の送信機７２２は、更に、その出力チップを調整し（例えば、アナログに変換し、フィルタリングし、増幅し、及びアップコンバートし）、順方向リンク信号を生成しても良い。送信機７２２ａ〜７２２ｓからのＳ個の順方向リンク信号は、それぞれ、Ｓ個のアンテナ７２４ａ〜７２４ｓから送信されても良い。
【００６１】
端末１２０において、Ｔ個のアンテナ７５２ａ〜７５２ｔは、基地局１１０から順方向リンク信号を受信しても良く、また、各々のアンテナ７５２は、受信信号を、それぞれの受信機（ＲＣＶＲ）７５４に供給しても良い。各々の受信機７５４は、サンプルを得るために、その受信信号を調整し（例えば、フィルタリングし、増幅し、ダウンコンバートし、及びデジタイズし）、受信シンボルを得るために、（例えば、ＯＦＤＭのために）そのサンプルを処理し、及び、その受信シンボルを、ＭＩＭＯ検出器７５６に供給しても良い。ＭＩＭＯ検出器７５６は、該当する場合にはその受信シンボルについてＭＩＭＯ検出を実行し、その割り当てられたタイルのための検出シンボルを提供しても良い。ＲＸデータプロセッサ７６０は、その割り当てられたタイルから、サブパケットをデマッピングし、各々のサブパケットを処理（例えば、シンボルデマッピング、デインターリーブ、及び復号化）し、復号化パケットを、データシンク７６２に供給しても良い。一般に、そのＭＩＭＯ検出器７５６及びＲＸデータプロセッサ７６０による処理は、基地局１１０でのＴＸＭＩＭＯプロセッサ７２０及びＴＸデータプロセッサ７１０による処理に対して、相補的である。
【００６２】
逆方向リンク上で、端末１２０において、ＴＸデータプロセッサ７８０は、データソース７７８から、パケットを受け取り、そのパケットをサブパケットに分割し、出力サブパケットを得るために、各々のサブパケットを処理し、そのパケットのための出力サブパケットを、そのパケットの伝送のために割り当てられたタイルにマッピングしても良い。そのＴＸデータプロセッサ７８０からの出力サブパケットは、パイロットシンボルとともに多重化され、ＴＸ ＭＩＭＯプロセッサ７８２により独立して処理され、さらに、アンテナ７５２ａ〜７５２ｔを通して送信されるＴ個の逆方向リンク信号を得るために、送信機７５４ａ〜７５４ｔにより処理されても良い。基地局１１０において、その端末１２０からの逆方向リンク信号は、アンテナ７２４ａ〜７２４ｓにより受信され、ＭＩＭＯ検出器７３８により検出され、さらに、端末１２０により送信されたパケットを回復するために、ＲＸデータプロセッサ７４０により処理されても良い。
【００６３】
コントローラ／プロセッサ７３０及び７７０は、それぞれ、基地局１１０及び端末１２０でのオペレーションを命令しても良い。メモリ７３２及び７７２は、それぞれ、基地局１１０及び端末１２０に関するデータ及びプログラムコードを記憶しても良い。スケジューラ７３４は、順方向リンク及び／又は逆方向リンク上のデータ伝送のために端末１２０をスケジューリングし、そのデータ伝送のために、リソース、例えばタイル、を割り当てても良い。
【００６４】
図８は、ＴＸデータプロセッサ７１０のデザインのブロック図を示す。ＴＸデータプロセッサ７１０はまた、図７におけるＴＸデータプロセッサ７８０のために使用されても良い。ＴＸデータプロセッサ７１０内で、パケット分割ユニット８１０は、伝送のためのパケットを受信し、そのパケットを、ｔ個のサブパケットに、例えば方程式（２）に示すように、分割し、また、そのｔ個のサブパケットを、ｔ個の処理セクション８２０ａ〜８２０ｔに供給しても良い。
【００６５】
サブパケット０用処理セクション８２０内で、ＣＲＣ生成器８２２は、そのサブパケットのためのＣＲＣを生成し、そして、そのサブパケットに付加されるべきＣＲＣを有するフォーマットされたサブパケットを提供しても良い。前方誤り訂正（forward error correction）（ＦＥＣ）符号器８２４は、そのフォーマットされたサブパケットを受け取り、ＦＥＣコードに従って、そのサブパケットを符号化して、符号化サブパケットを提供しても良い。ＦＥＣコードは、ターボ符号、畳み込み符号、低密度パリティーチェック（low density parity check）（ＬＤＰＣ）コード、ブロック符号などを含んでも良い。インターリーバ８２６は、インターリービング・スキームに基づいて、その符号化サブパケット中のビットを、インターリーブ又はリオーダー（reorder）しても良い。レピティションユニット８２８は、必要ならば、要求された総数のビットを得るために、インターリーバ８２６からのビットを繰り返しても良い。スクランブラ８３０は、そのデータをランダマイズするために、ユニット８２８からのビットをスクランブルしても良い。スクランブラ８３０は、線形フィードバックシフトレジスタ（linear feedback shift register）（ＬＦＳＲ）に基づいて、スクランブルシーケンスを生成しても良い。線形フィードバックシフトレジスタは、端末１２０のＭＡＣ ＩＤ、サービングセクタ／基地局のセクタＩＤ又はパイロットフェイズ、そのパケットのためのパケットフォーマットインデックス、そのパケットが送信されるところの最初のＰＨＹフレームのフレームインデックス、及び／又は何らかの他のパラメータ、に基づいて決定されたシード（seed）の値で、そのサブパケットの最初において、初期化されても良い。シンボルマッパー８３２は、ＱＰＳＫ、１６−ＱＡＭ、６４−ＱＡＭなどのような、選択された変調スキームに基づいて、そのスクランブルされたビットを、変調シンボルにマッピングしても良い。シンボルマッパー８３２は、変調シンボルの出力サブパケットを提供しても良い。各々の残りの処理セクション８２０は、同様に、そのサブパケットを処理し、変調シンボルの対応する出力サブパケットを提供しても良い。
【００６６】
サブパケット−タイルマッパー８４０は、処理セクション８２０ａ〜８２０ｔからのｔ個のサブパケットすべてを受信しても良い。マッパー８４０は、各々のサブパケットを、そのパケットのために割り当てられたＮＴＩＬＥＳ個のタイルの全部又は一部分にマッピングしても良い。各々のタイルについて、マッパー８４０は、そのタイルにマッピングされる少なくとも一つのサブパケットを決定し、そして、その少なくとも一つのサブパケット中の変調シンボルを、そのタイル中の適切なホップポート及びＯＦＤＭシンボル期間へ、例えば方程式（３）及び図５に示されるように、マッピングしても良い。
【００６７】
図９は、ＲＸデータプロセッサ７６０のデザインのブロック図を示す。ＲＸデータプロセッサ７６０はまた、図７におけるＲＸデータプロセッサ７４０のために使用されても良い。ＲＸデータプロセッサ７６０内で、タイル−サブパケットデマッパー９１０は、一つのパケットのために使用されるＮＴＩＬＥＳ個のタイルのための検出シンボルを受け取り、タイルからサブパケットへのデマッピングを実行し、そして、そのｔ個のサブパケットのための検出シンボルを、ｔ個の処理セクション９２０ａ〜９２０ｔに供給しても良い。
【００６８】
サブパケット０用処理セクション９２０ａ内で、対数尤度比（log-likelihood ratio）（ＬＬＲ）計算部９２０は、サブパケット０のための検出シンボルを受け取り、そして、その検出シンボルに基づいて、このサブパケットのためのコードビットに対するＬＬＲを計算しても良い。各々のコードビットに対するＬＬＲは、そのコードビットのための検出シンボルにより与えられるコードビットが、０（‘０’）又は１（‘１’）である尤度（likelihood）を示しても良い。デスクランブラ９２４は、そのサブパケットのために使用されるスクランブリングシーケンスに基づいて、そのＬＬＲをデスクランブルしても良い。ＬＬＲ合成器９２６は、遅いＨＡＲＱ（later ＨＡＲＱ）伝送にて送信された可能性のある、繰り返されたコードビットのためのＬＬＲを合成しても良い。デインターリーバ９２８は、図８中のインターリーバ８２６によるインターリービングに対して相補的な方法で、ユニット９２６からのＬＬＲをデインターリーブしても良い。ＦＥＣ復号器９３０は、そのサブパケットのために使用されるＦＥＣコードに従って、そのデインターリーブされたＬＬＲを復号化して、復号化サブパケットを提供しても良い。ＣＲＣチェッカー９３２は、その復号化サブパケットをチェックし、そして、そのサブパケットのための復号化ステータスを提供しても良い。各々の残りの処理セクション９２０は、同様に、そのサブパケットを処理し、対応する復号化サブパケットを提供しても良い。
【００６９】
マルチプレクサ（Ｍｕｘ）９４０は、処理セクション９２０ａ〜９２０ｔからのｔ個のサブパケットのすべてをアセンブルして、復号化パケットを提供しても良い。一つのデザインにおいて、肯定応答（ＡＣＫ）は、正しく復号化された各々のサブパケットについて送信されても良い。ｔ個のサブパケットのすべてが、一緒に肯定応答されても良い。間違って（in error）復号化されたサブパケットは、続くＨＡＲＱ伝送において再送されても良い。
【００７０】
図１０は、データを送信するためのプロセス１０００のデザインを示す。プロセス１０００は、送信機により実行されても良い。送信機は、順方向リンク伝送についての基地局又は逆方向リンク伝送についての端末でも良い。パケットの伝送のために割り当てられるリソースが決定されても良い（ブロック１０１２）。該パケットは、複数のサブパケットに分割されても良い（ブロック１０１４）。各々のサブパケットは、対応する符号化サブパケットを得るために、ＦＥＣコードに基づいて符号化されても良い（ブロック１０１６）。少なくとも一つの符号化パケットが、該割り当てられたリソースの一部（subset）にマッピングされることで、該複数の符号化パケットが、該割り当てられたリソースへマッピングされる（ブロック１０１８）。
【００７１】
該割り当てられらたりソースは、複数のタイルを含んでも良い。ブロック１０１８に関して、各々のサブパケットは、(i)複数のタイルの異なる一部分、(ii)特定の最小の数のタイル、(iii)特定の最小の数未満のタイルの場合に、複数のタイルのすべて、(iv)同数のタイル、又は(v)それらの組み合わせへ、マッピングされても良い。複数のタイルは、ｔの整数倍の個数のタイルからなる第１のグループ及び残りのタイルからなる第２のグループに配置されても良い。ここで、ｔは、サブパケットの数である。該第１のグループ中の各々のタイルへ、ｔ個のサブパケットの一部がマッピングされても良く、また、ｔ個のサブパケットのすべてが、該第２のグループ中の各々のタイルへマッピングされても良い。各々のタイルに関して、例えば、少なくとも一つのサブパケットを通して循環すること及び一つのサブパケットをそのタイル中の各々の利用可能な送信ユニットへマッピングすることによって、そのタイルへマッピングされる少なくとも一つのサブパケットが、決定されても良く、また、そのタイルにわたって分散されても良い。
【００７２】
図１１は、データを送信するための装置１１００のデザインを示す。装置１１００は、パケットの伝送のために割り当てられるリソースを決定するための手段（モジュール１１１２）、パケットを複数のサブパケットに分割するための手段（モジュール１１１４）、対応する符号化サブパケットを得るために、各々のサブパケットをＦＥＣコードに基づいて符号化するための手段（モジュール１１１６）、及び該複数の符号化パケットを、該割り当てられたリソースにマッピングする（少なくとも一つの符号化パケットが上記割り当てられたリソースの一部分にマッピングされる）ための手段（モジュール１１１８）を含む。
【００７３】
図１２は、データを受信するためのプロセス１２００のデザインを示す。プロセス１２００は、受信機により実行されても良い。受信機は、順方向リンク伝送についての端末又は逆方向リンク伝送についての基地局でも良い。パケットの伝送のために割り当てられるリソースが決定されても良い（ブロック１２１２）。該パケットの複数のサブパケットが、該割り当てられたリソースを通して、受信される（ブロック１２１４）。少なくとも一つのサブパケットは、該割り当てられたリソースの一部（subset）からデマッピングされることで、該複数のサブパケットが、該割り当てられたリソースからデマッピングされる（ブロック１２１６）。該パケットを回復するために、デマッピングの後、該複数のサブパケットが、処理される（ブロック１２１８）。
【００７４】
該割り当てられらたりソースは、複数のタイルを含んでも良い。ブロック１２１６に関して、各々のサブパケットは、(i)複数のタイルの異なる一部分、(ii)特定の最小の数のタイル、(iii)特定の最小の数未満のタイルの場合に、複数のタイルのすべて、(iv)同数のタイル、又は(v)それらの組み合わせから、デマッピングされても良い。各々のタイルに関して、そのタイルへマッピングされる少なくとも一つのサブパケットが決定され、そのタイル全体から（from across）デマッピングされても良い。
【００７５】
ブロック１２１８に関して、復調は、各々のタイルについて、例えば、タイルごとに（on a  tile-by-tile  basis）、実行されても良い。復号化は、割り当てられたタイルのすべてが復調されるのを待つことなく、サブパケットが割り当てられたすべてのタイルが復調された場合に、実行されても良い。各々のサブパケットは、対応する復号化サブパケットを得るために、ＦＥＣコードに基づいて復号化されても良い。
【００７６】
図１３は、データを受信するための装置１３００のデザインを示す。装置１３００は、パケットの伝送のために割り当てられるリソースを決定するための手段（モジュール１３１２）、該パケットの複数のサブパケットを、該割り当てられたリソースを通して受信するための手段（モジュール１３１４）、該複数のサブパケットを、該割り当てられたリソースからデマッピングする（少なくとも一つのサブパケットは、該割り当てられたリソースの一部分からデマッピングされる）ための手段（モジュール１３１６）、及び該パケットを回復するために、デマッピングの後、該複数のサブパケットを処理するための手段（モジュール１３１８）を含む。
【００７７】
図１１及び１３における各モジュールｓは、プロセッサ、電子デバイス、ハードウェアデバイス、電子コンポーネント、論理回路、メモリなど、又はそれらの任意の組み合わせを含んでも良い。
【００７８】
本明細書で説明される技術は、さまざまな方法で実装されても良い。例えば、これら技術は、ハードウェア、ファームウェア、ソフトウェア、又はそれらの組み合わせにより実装されても良い。ハードウェアの実装に関して、実体（例えば、基地局又は端末）にて該技術を実行するために用いられる処理ユニットは、一つ又は複数の特定用途向けＩＣ（application specific integrated circuits）（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書に説明される機能を実行するようにデザインされた他の電子ユニット、コンピュータ、又はそれらの組み合わせの中で実装されても良い。
【００７９】
ファームウェア及び／又はソフトウェアの実装に関して、該技術は、本明細書で説明される機能を実行するコード（例えば、プロシージャー、関数、モジュール、インストラクション、など）で実装されても良い。一般に、ファームウェア及び／又はソフトウェアコードを明白に具体化する任意のコンピュータ／プロセッサ読み取り可能な媒体が、本明細書で説明される技術の実装に用いられても良い。例えば、ファームウェア及び／又はソフトウェアコードは、メモリ（例えば、図２中のメモリ７３２又は７７２）に記憶され、プロセッサ（例えば、プロセッサ７３０又は７７０）により実行されても良い。そのメモリは、プロセッサの内部又は外部に実装されても良い。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（digital versatile disc）（ＤＶＤ）、磁気又は光データ記憶装置（magnetic or optical data storage device）、などのような、コンピュータ／プロセッサ読み取り可能な媒体に記憶されても良い。コードは、１又は複数のコンピュータ／プロセッサにより実行されても良く、また、該コンピュータ／プロセッサに、本明細書で説明される機能性の幾つかの態様の実行をもたらしても良い。
【００８０】
先の本開示の説明は、当業者が本開示を製造又は使用するのを可能にするために提供される。本開示に対するさまざまな修正が当業者には直ちに明白であり、本明細書で定義される一般的原理は、本開示の精神又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。 
以下に、本願出願の当初の特許請求の範囲に記載された各請求項に対応する発明を付記する。 
［１］パケットの伝送のために割り当てられるリソースを決定し、該パケットを複数のサブパケットに分割し、該複数のサブパケットを該割り当てられるリソースへマッピングする（少なくとも一つのサブパケットは、該割り当てられるリソースの一部分へマッピングされる）ように構成された、少なくとも一つのプロセッサと、 
前記少なくとも一つのプロセッサに接続されたメモリとを含むことを特徴とする通信のための装置。 
［２］前記少なくとも一つのプロセッサは、対応する符号化サブパケットを得るために、前方誤り訂正（ＦＥＣ）コードに基づいて、各々のサブパケットを符号化するように構成されたことを特徴とする［１］に記載の装置。 
［３］前記割り当てられるリソースは、複数のタイルを含み、各々のタイルは、時間・周波数リソースのブロックに対応することを特徴とする［１］に記載の装置。 
［４］各々のタイルは、連続する時間・周波数リソースのブロックに対応することを特徴とする［１］に記載の装置。 
［５］各々のタイルは、システム帯域幅にわたって分散された時間・周波数リソースのブロックに対応することを特徴とする［１］に記載の装置。 
［６］前記少なくとも一つのプロセッサは、前記複数のサブパケットの各々を、前記複数のタイルのうちの異なる一部分にマッピングするように構成されたことを特徴とする［３］に記載の装置。 
［７］前記少なくとも一つのプロセッサは、前記複数のサブパケットの各々を、特定の最小の数のタイルへ、又は該特定の最小の数のタイルより少ない場合に前記複数のタイルのすべてへ、マッピングするように構成されたことを特徴とする［３］に記載の装置。 ［８］前記少なくとも一つのプロセッサは、前記複数のサブパケットの各々を、等しい数のタイルへマッピングするように構成されたことを特徴とする［３］に記載の装置。 ［９］前記少なくとも一つのプロセッサは、前記複数のサブパケットを、少なくとも二つのタイルからなる第１のグループ及び残りのタイルからなる第２のグループに配列し、前記第１のグループ中の各々のタイルに、前記複数のサブパケットの一部分をマッピングし、前記第２のグループ中の各々のタイルに、前記複数のサブパケットのすべてをマッピングするように構成されたことを特徴とする［３］に記載の装置。 
［１０］前記第１のグループは、ｔの整数倍の個数のタイルを含み、ｔはサブパケットの数であることを特徴とする［９］に記載の装置。 
［１１］前記複数のタイルの各々について、前記少なくとも一つのプロセッサは、前記タイルにマッピングされる少なくとも一つのサブパケットを決定し、前記少なくとも一つのサブパケットを、前記タイルにわたって分散するように構成されたことを特徴とする［３］に記載の装置。 
［１２］前記複数のタイルの各々について、前記少なくとも一つのプロセッサは、前記少なくとも一つのサブパケットを、前記タイルを通して循環すること及び前記一つのサブパケットを、前記タイル中の各々の利用可能な伝送ユニットにマッピングすることによって、前記少なくとも一つのサブパケットを、前記タイルにわたって分散するように構成されたことを特徴とする［１１］に記載の装置。 
［１３］パケットの伝送のために割り当てられるリソースを決定することと、 
前記パケットを複数のサブパケットに分割することと、 
前記複数のサブパケットを前記割り当てられるリソースにマッピングする（少なくとも一つのサブパケットは、前記割り当てられるリソースの一部分へマッピングされる）ことを含むことを特徴とするデータを通信する方法。 
［１４］対応する符号化サブパケットを得るために、前方誤り訂正（ＦＥＣ）コードに基づいて、各々のサブパケットを符号化することを更に含むことを特徴とする［１３］に記載の方法。 
［１５］前記割り当てられるリソースは、複数のタイルを含み、 
前記複数のサブパケットを前記マッピングすることは、前記複数のサブパケットの各々を、前記複数のタイルのうちの異なる一部分、等しい数のタイル、特定の最小の数のタイル、及び前記特定の最小の数のタイルより少ない場合に前記複数のタイルのすべて、のうちの少なくとも一つへ、マッピングすることを含むことを特徴とする［１３］に記載の方法。 
［１６］前記割り当てられるリソースは、複数のタイルを含み、 
前記複数のサブパケットを前記マッピングすることは、前記複数のサブパケットを、ｔの整数倍の個数（ｔはサブパケットの数である。）のタイルからなる第１のグループ及び残りのタイルからなる第２のグループに配列することと、 
前記第１のグループ中の各々のタイルに、前記複数のサブパケットの一部分をマッピングすることと、 
前記第２のグループ中の各々のタイルに、前記複数のサブパケットのすべてをマッピングすることを含むことを特徴とする［１３］に記載の方法。 
［１７］パケットの送信のために割り当てられるリソースを決定するための手段と、 前記パケットを複数のサブパケットに分割するための手段と、 
前記複数のサブパケットを前記割り当てられるリソースにマッピングする（少なくとも一つのサブパケットは、前記割り当てられるリソースの一部分へマッピングされる）ための手段とを含むことを特徴とする通信のための装置。 
［１８］対応する符号化サブパケットを得るために、前方誤り訂正（ＦＥＣ）コードに基づいて、各々のサブパケットを符号化するための手段を更に含むことを特徴とする［１７］に記載の装置。 
［１９］前記割り当てられるリソースは、複数のタイルを含み、 
前記複数のサブパケットを前記マッピングするための手段は、前記複数のサブパケットの各々を、前記複数のタイルのうちの異なる一部分、等しい数のタイル、特定の最小の数のタイル、及び前記特定の最小の数のタイルより少ない場合に前記複数のタイルのすべて、のうちの少なくとも一つへ、マッピングするための手段を含むことを特徴とする［１７］に記載の装置。 
［２０］前記割り当てられるリソースは、複数のタイルを含み、 
前記複数のサブパケットを前記マッピングするための手段は、前記複数のサブパケットを、ｔの整数倍の個数（ｔはサブパケットの数である。）のタイルからなる第１のグループ及び残りのタイルからなる第２のグループに配列するための手段と、 
前記第１のグループ中の各々のタイルに、前記複数のサブパケットの一部分をマッピングするための手段と、 
前記第２のグループ中の各々のタイルに、前記複数のサブパケットのすべてをマッピングするための手段と含むことを特徴とする［１７］に記載の装置。 
［２１］コンピュータ読み取り可能な媒体を含むコンピュータプログラムプロダクトにおいて、 
前記コンピュータ読み取り可能な媒体は、 
少なくとも一つのコンピュータに、パケットの伝送のために割り当てられるリソースを決定させるためのコードと、 
少なくとも一つのコンピュータに、前記パケットを複数のサブパケットに分割させるためのコードと、 
少なくとも一つのコンピュータに、前記複数のサブパケットを前記割り当てられるリソースにマッピングさせる（少なくとも一つのサブパケットは、前記割り当てられるリソースの一部分へマッピングされる）ためのコードとを含むことを特徴とするコンピュータプログラムプロダクト。 
［２２］パケットの装置のために割り当てられたリソースを決定し、該割り当てられたリソースを通して該パケットの複数のサブパケットを受信し、該割り当てられたリソースから該複数のサブパケットをデマッピングし（少なくとも一つのサブパケットは、該割り当てられたリソースの一部分からデマッピングされる）、該パケットを回復するためのデマッピングの後に該複数のサブパケットを処理するように構成された少なくとも一つのプロセッサと、 
前記少なくとも一つのプロセッサに接続されたメモリとを含むことを特徴とする通信のための装置。 
［２３］前記少なくとも一つのプロセッサは、対応する復号化サブパケットを得るために、前方誤り訂正（ＦＥＣ）コードに基づいて、各々のサブパケットを復号化するように構成されたことを特徴とする［２２］に記載の装置。 
［２４］前記割り当てられるリソースは、複数のタイルを含み、各々のタイルは、時間・周波数リソースのブロックに対応することを特徴とする［２２］に記載の装置。 
［２５］前記少なくとも一つのプロセッサは、前記複数のタイルの各々について復調を実行し、及び、前記複数のタイルのすべてが復調されるのを待つことなく、サブパケットが割り当てられたすべてのタイルが復調された場合に、前記複数のサブパケットの各々について復号化を実行するように構成されたことを特徴とする［２４］に記載の装置。 ［２６］前記少なくとも一つのプロセッサは、前記複数のサブパケットの各々を、前記複数のタイルのうちの異なる一部分からデマッピングするように構成されたことを特徴とする［２４］に記載の装置。 
［２７］前記少なくとも一つのプロセッサは、前記複数のサブパケットの各々を、特定の最小の数のタイルから、又は該特定の最小の数のタイルより少ない場合に前記複数のタイルのすべてから、デマッピングするように構成されたことを特徴とする［２４］に記載の装置。 
［２８］前記少なくとも一つのプロセッサは、前記複数のサブパケットの各々を、等しい数のタイルからデマッピングするように構成されたことを特徴とする［２４］に記載の装置。 
［２９］前記複数のタイルの各々について、前記少なくとも一つのプロセッサは、前記タイルにマッピングされる少なくとも一つのサブパケットを決定し、前記少なくとも一つのサブパケットを、前記タイルにわたってデマッピングするように構成されたことを特徴とする［２４］に記載の装置。 
［３０］パケットの装置のために割り当てられたリソースを決定することと、 
前記割り当てられたリソースを通して前記パケットの複数のサブパケットを受信することと、 
前記割り当てられたリソースから前記複数のサブパケットをデマッピングする（少なくとも一つのサブパケットは、前記割り当てられたリソースの一部分からデマッピングされる）ことと、 
前記パケットを回復するためのデマッピングの後に前記複数のサブパケットを処理することを含むことを特徴とする受信のための方法。 
［３１］前記複数のサブパケットを前記処理することは、対応する復号化サブパケットを得るために、前方誤り訂正（ＦＥＣ）コードに基づいて、各々のサブパケットを復号化することを含むことを特徴とする［３０］に記載の方法。 
［３２］前記割り当てられるリソースは、複数のタイルを含み、 
前記複数のサブパケットを前記処理することは、前記複数のタイルの各々について復調を実行することと、 
前記複数のタイルのすべてが復調されるのを待つことなく、サブパケットが割り当てられたすべてのタイルが復調された場合に、前記複数のサブパケットの各々について復号化を実行することを含むことを特徴とする［３０］に記載の方法。 
［３３］前記割り当てられるリソースは、複数のタイルを含み、 
前記複数のサブパケットを前記デマッピングすることは、前記複数のサブパケットの各々を、前記複数のタイルのうちの異なる一部分、特定の最小の数のタイル、該特定の最小の数のタイルより少ない場合に前記複数のタイルのすべて、及び、等しい数のタイルの、うちの少なくとも一つから、デマッピングするように構成されたことを特徴とする［３０］に記載の装置。 
［３４］パケットの装置のために割り当てられたリソースを決定するための手段と、 前記割り当てられたリソースを通して前記パケットの複数のサブパケットを受信するための手段と、 
前記割り当てられたリソースから前記複数のサブパケットをデマッピングする（少なくとも一つのサブパケットは、前記割り当てられたリソースの一部分からデマッピングされる）ための手段と、 
前記パケットを回復するためのデマッピングの後に前記複数のサブパケットを処理するための手段とを含むことを特徴とする受信のための装置。 
［３５］前記複数のサブパケットを前記処理するための手段は、対応する復号化サブパケットを得るために、前方誤り訂正（ＦＥＣ）コードに基づいて、各々のサブパケットを復号化することを含むことを特徴とする［３４］に記載の装置。 
［３６］前記割り当てられるリソースは、複数のタイルを含み、 
前記複数のサブパケットを前記処理するための手段は、 
前記複数のタイルの各々について復調を実行するための手段と、 
前記複数のタイルのすべてが復調されるのを待つことなく、サブパケットが割り当てられたすべてのタイルが復調された場合に、前記複数のサブパケットの各々について復号化を実行するための手段とを含むことを特徴とする［３４］に記載の装置。 
［３７］前記割り当てられるリソースは、複数のタイルを含み、 
前記複数のサブパケットを前記デマッピングするための手段は、 
前記複数のサブパケットの各々を、前記複数のタイルのうちの異なる一部分、特定の最小の数のタイル、該特定の最小の数のタイルより少ない場合に前記複数のタイルのすべて、及び、等しい数のタイルの、うちの少なくとも一つから、デマッピングするための手段を含むことを特徴とする［３４］に記載の装置。 
［３８］コンピュータ読み取り可能な媒体を含むコンピュータプログラムプロダクトにおいて、 
前記コンピュータ読み取り可能な媒体は、 
少なくとも一つのコンピュータに、パケットの装置のために割り当てられたリソースを決定させるためのコードと、 
前記少なくとも一つのコンピュータに、前記割り当てられたリソースを通して前記パケットの複数のサブパケットを受信させるためのコードと、 
前記少なくとも一つのコンピュータに、前記割り当てられたリソースから前記複数のサブパケットをデマッピングさせる（少なくとも一つのサブパケットは、前記割り当てられたリソースの一部分からデマッピングされる）ためのコードと、 
前記少なくとも一つのコンピュータに、前記パケットを回復するためのデマッピングの後に前記複数のサブパケットを処理させるためのコードとを含むことを特徴とするコンピュータプログラムプロダクト。
【図１】
0005607203.tif 000015
【図２】
0005607203.tif 000016
【図３】
0005607203.tif 000017
【図４】
0005607203.tif 000018
【図５】
0005607203.tif 000019
【図６】
0005607203.tif 000020
【図７】
0005607203.tif 000021
【図８】
0005607203.tif 000022
【図９】
0005607203.tif 000023
【図１０】
0005607203.tif 000024
【図１１】
0005607203.tif 000025
【図１２】
0005607203.tif 000026
【図１３】
0005607203.tif 000027